(57)【特許請求の範囲】
【請求項１】
洋式便器の便器本体（１）上に幌（４）を開・畳可能に取り付けて放尿の飛散を防止する装置であって、尿の飛散防止幌（４）と、この幌（４）の片端縁を便器本体（１）の便座取り付けヒンジ側表面に押しつける緊張線（２１）と、上記幌（４）の他端縁を巡り幌（４）を開・畳させる揺動緊張線（８）と、この揺動緊張線（８）を揺動可能に軸支する軸（１２）および軸受け（１１）と、上記軸（１２）に遊嵌し周囲方向に長孔（１５）を穿設しレバー（７）を植設したカラー（１６）と、このカラー（１６）の長孔（１５）を貫通して上記軸（１２）に植設された蹴り棒（１７）と、上記カラー（１６）に植設されたレバー（７）と起き倒しされる便座（３）との間を連結する紐体（６）と、上記紐体（６）の端を便座（３）に掛ける紐掛け（１０）とからなり、便座（３）が起こされることよりカラー（１６）に植設されたレバー（７）が引っ張られて上記軸（１２）を中心にカラー（１６）がその長孔（１５）の長さだけ空回りし、長孔（１５）の押し込み面に軸（１２）に植設された蹴り棒（１７）が当接して揺動緊張線（８）が立ち上がるようにしてなる尿の飛散防止装置。
【請求項２】
洋式便器の便器本体（１ａ）上に幌（４ａ）を開・畳可能に取り付けて放尿の飛散を防止する装置であって、便器本体（１ａ）の両側に取り付けられる軸芯（１２ａ、１２ａ）に複数のカラー（２５、２５ａ）を被嵌し、上記片方の軸芯（１２ａ）に被嵌されたカラー（２５）から他方の軸芯（１２ａ）に被嵌されたカラー（２５ａ）に亘って揺動緊張線（８ａ）、補助緊張線（２２）および緊張線（２１ａ）を掛け渡し、この揺動緊張線（８ａ）、補助緊張線（２２）および緊張線（２１ａ）に幌（４ａ）を被せ、上記揺動緊張線（８ａ）を取り付けたカラー（２５ａ）にドッグレバー（２６）を植設し、このドッグレバー（２６）の自由端に、その自由端から便座（３ａ）の裏側を繋ぐ紐体（６ａ）を、その長さに余裕をもって延設し、その余裕でもって、上記便座（３ａ）の上げ始めに若干遅れて上記ドッグレバー（２６）の自由端が上記紐体（６ａ）によって引っ張られ、それによって揺動緊張線（８ａ）が立ち上がるようにしてなる尿の飛散防止装置。
【発明の詳細な説明】
【０００１】
【発明の属する技術分野】
この発明は、洋式便器を小用として使用する場合の、尿の飛散防止装置に関する。
【０００２】
【従来の技術】
洋式便器の放尿の飛散を防止する装置として、実開平５−９６１７６号公報で「洋式便器本体の上面開口部を囲む上周面に、この上周面の両側から後部に沿う略Ｕ字状で上下に伸縮自在となる飛散防止ガードを設け、前記飛散防止ガードの両側に、このガードを上下に伸縮させる昇降機構を設けた洋式便器用小便飛散防止装置」が提案されている。
【０００３】
【発明が解決しようとする課題】
この提案ではガードを昇降させる昇降機構にラック・ピニオンと駆動源であるモーターが必要で、高価なものとなり、しかもガードを上げるためには便座を起こし、次いでモーターのスイッチを入れなければならない等、高価な割に不便なものであった。
【０００４】
この発明は上記の問題に鑑み、簡単な構造にしてコストダウンを図り、かつ、便座の起き・倒しとともに尿の飛散防止ガードを開・畳できる尿飛散防止装置を提供することを課題とする。
【０００５】
【課題を解決するための手段】
上記課題を解決するために、請求項１の発明は、洋式便器の便器本体上に幌を開・畳可能に取り付けて放尿の飛散を防止する装置であって、尿の飛散防止幌と、この幌の片端縁を便器本体の便座取り付けヒンジ側表面に押しつける緊張線と、上記幌の他端縁を巡り幌を開・畳させる揺動緊張線と、この揺動緊張線を揺動可能に軸支する軸および軸受けと、上記軸に遊嵌し周囲方向に長孔を穿設しレバーを植設したカラーと、このカラーの長孔を貫通して上記軸に植設された蹴り棒と、上記カラーに植設されたレバーと起き倒しされる便座との間を連結する紐体と、上記紐体の端を便座に掛ける紐掛けとからなり、便座が起こされることよりカラーに植設されたレバーが引っ張られて上記軸を中心にカラーがその長孔の長さだけ空回りし、長孔の押し込み面に軸に植設された蹴り棒が当接して揺動緊張線が立ち上がるようにしてなる構成としたものである。
【０００６】
請求項２の発明は、洋式便器の便器本体上に幌を開・畳可能に取り付けて放尿の飛散を防止する装置であって、便器本体の両側に取り付けられる軸芯に複数のカラーを被嵌し、上記片方の軸芯に被嵌されたカラーから他方の軸芯に被嵌されたカラーに亘って揺動緊張線、補助緊張線および緊張線を掛け渡し、この揺動緊張線、補助緊張線および緊張線に幌を被せ、上記揺動緊張線を取り付けたカラーにドッグレバーを植設し、このドッグレバーの自由端に、その自由端から便座の裏側を繋ぐ紐体を、その長さに余裕をもって延設し、その余裕でもって、上記便座の上げ始めに若干遅れて上記ドッグレバーの自由端が上記紐体によって引っ張られ、それによって揺動緊張線が立ち上がるようにしてなる構成としたものである。
【０００７】
上記のように構成するこの発明によれば、便器の蓋を上げることによって幌が開き尿の飛散防止を防止することができる。
【０００８】
【発明の実施の形態】
次にこの発明に係る第一の実施形態を図１乃至図７を参照して説明する。図７はこの発明に係る実施形態の使用状態を表している。便器１の蓋２と便座３が起こされている。便座３が起こされると便座３と幌４の開・畳機構５との間を繋ぐ紐体６が引っ張られ、紐体６の端が繋がれたレバー７が（詳細は図１）引っ張られて便器１の向こう側（便座のヒンジ側）に畳まれていた幌４の揺動緊張線８が起き上がり幌４が開いてガード９が形成される。
【０００９】
図１は、図７の要部を拡大したもので、便器１の蓋２と便座３が起こされると便座３に取り付けられた紐掛け１０と幌４の開・畳機構５のレバー７とを結ぶ紐体６が引っ張られて便座側に折り畳まれていた幌４の揺動緊張線８が起き上がり幌４が開き尿の飛散防止状態となる。
【００１０】
図２は、幌の開・畳機構５の詳細を示す。軸受け１１に支持された軸１２の左側（図面上の）は、そのまま折曲がって揺動緊張線８となり幌の開・畳側縁１３と一体になっており、軸受け１１と揺動緊張線８との間に亘って強いトーションスプリング１４が掛け渡されて幌４が畳まれる方向に揺動緊張線８が付勢されている。
【００１１】
軸受け１１の右側（図面上の）に突き出た軸１２’には、周囲方向に長孔１５（図３参照）が穿設されたカラー１６が嵌められていて、上記軸１２’にはカラー１６の長孔１５を貫通して蹴り棒１７が植設されている。上記カラー１６にはレバー７が植設されて、その先端に紐体６が接続され、その紐体６の他端は前記便座３に取り付けられた紐掛け１０に繋がれている。上記カラー１６に植設されたレバー７と上記軸１２’との間には、上記トーションスプリング１４より弱いトーションスプリング１８が掛け渡されて矢印の反対方向（図６参照）に付勢されている。なお、上記紐掛け１０は便座３から若干突き出ているが短くしても支障はない。
【００１２】
図３は、幌の開・畳機構５をさらに詳細に表したもので、軸受け１１に支持された軸１２の左側（図面上の）は、そのまま揺動緊張線８となり幌の開・畳側の縁と一体になっており、軸受け１１と揺動緊張線８との間に亘って強いトーションスプリング１４が掛け渡されて揺動緊張線８が（幌４が）畳まれる方向に付勢されている。
【００１３】
軸受け１１の右側（図面上の）に突き出た軸１２’には、周囲方向に長孔１５（同図（ｂ）参照）が穿設されたカラー１６が嵌められていて、上記軸１２’にはカラー１６の長孔１５を貫通して蹴り棒１７が植設されている。上記カラー１６にはレバー７が植設され、このレバー７の先に紐体６が接続されている。上記カラー１６に植設されたレバー７と上記軸１２’の端に一体に設けられた鍔１９との間には、上記トーションスプリング１４より弱いトーションスプリング１８が掛け渡されて矢印の方向（図６参照）に付勢されている。
【００１４】
従って、便座３が起こされると、便座３に取り付けられた紐掛け１０と紐体６とを介して幌の開・畳機構５のレバー７が引っ張られカラー１６が軸１２’を中心に回動する。空回り時は揺動緊張線側のトーションスプリング１４が強いのでカラー１６が長孔１５と蹴り棒１７との遊びだけ空回りし、長孔１５の端の押し込み面２４に蹴り棒１７が当接するとトーションスプリング１８の付勢に抗して揺動緊張線８が起こされる。また、便座３が倒されるときは揺動緊張線８の方が先に倒れて便座３が後追い状態で倒れるようになる。
【００１５】
便座３を倒した状態では図４に示すように幌４は畳まれて便器本体１と便座３との間に納まる。このとき幌の開・畳機構５のレバー７と便座３の紐掛け１０との間を繋いでいる紐体６は若干弛んだ状態になっているのは、便座３を起こしたとき幌４が遅れて立ち上がるようにするための二重の対策で、立ち上がる幌４と便座３とが干渉しないようにするためである。
【００１６】
図５は、この発明に係る実施形態の尿飛散防止装置のみの分解斜視図で、便器本体の両側に断面Ｌ字状の台座２０を接着剤等で固定する。このとき、緊張線２１の湾曲部端２１’は便器本体１の向こう側（便座３のヒンジ側）上面に沿うようにセットする。幌４の両端縁は筒状に縫製され緊張線２１と揺動緊張線８が挿通される。幌４の３等分位置には上記緊張線より弱い補助緊張線２２が添えられ帯布（図省略）で止着されている。紐掛け１０は、幌の開・畳機構５のレバー７先端の円運動距離に対応する位置に、便座３の裏側から嵌め込み接着剤等で固定する。緊張線２１は台座２０に設けられた緊張線支持孔２３に差し込みセットする。なお、この実施形態では軸受け１１と台座２０が別体となっているが、一体に成形してもよい。また、紐掛け１０は便座３の横に突き出ているが、裏側に貼りつけるような状態の構造とすることもできる。
【００１７】
図６は、幌の開・畳機構５の運動を説明するもので、同図（ａ）は便座３が倒された状態で、軸１２と一体の揺動緊張線８は、便器本体１の上面に畳まれている。この状態では、軸１２に植設された蹴り棒１７には弱いトーションスプリング（図３参照）に付勢されて矢印と反対方向に回動して長孔１５の押し込み面２４から離れている。同図（ｂ）のように便座３が起こされると弱いトーションスプリング１８（図３参照）の付勢に抗してカラー１６が回転し長孔１５の押し込み面２４が蹴り棒１７に当接して軸１２を回動させ、軸１２と一体の揺動緊張線８が起き上がり幌が開く。
【００１８】
したがって便座３が起こされはじめるとき、揺動緊張線８は立ち上がらず、長孔１５の押し込み面２４が当接してから起き上がるので便座３が起こされるときに幌４が干渉するようなことはない。また、便座３が倒されるときは強いトーションスプリング１４（図３参照）の付勢により揺動緊張線８が先に倒れ、揺動緊張線８が完全に倒れてからカラーの長孔１５分だけ遅れて便座３が完全に倒れる。
【００１９】
次に第二実施形態を図８、図９を参照して説明する。便器本体１aの両側に公知の手段で取り付けられる軸芯１２aに複数のカラー２５（図９）を被嵌し、上記片方の軸芯１２a’に被嵌されたカラー２５’から他方の軸芯１２a’’に被嵌されたカラー２５’’に亘って揺動緊張線８a、補助緊張線２２aおよび緊張線２１aが掛け渡されこの揺動緊張線８a、補助緊張線２２aおよび緊張線２１aに幌４aを被せ、上記揺動緊張線８aを取り付けたカラー２５aにドッグレバー２６を植設し、このドッグレバー２６の自由端に、その自由端と便座３ａの裏側とを繋ぐ紐体６aを長さに余裕を以て延設してなる。なお、２７は吸盤である。
【００２０】
上記の実施形態では、便座３aを上げ始めると紐体６aに長さの余裕があるので、若干遅れてドッグレバー２６の自由端が引っ張られ、カラー２５aを介して揺動緊張線８a’と、それに続いて補助緊張線２２aとが立ち上がり便器本体１aの上に尿の飛散を防止する幌４aが広げられる。便座３aを倒すとトーションスプリング２８の付勢力により揺動緊張線８a’と、それに続いて補助緊張線２２aとが倒れて幌４aが畳まれる。
【００２１】
【発明の効果】
以上説明した如く、この発明によれば、男子小用のために便座を起こすときは若干遅れて尿飛散防止用の幌が開き、便座が倒されるときは幌が先に畳まれる。したがって便座を起こすと干渉することなく幌が開き、倒すと干渉することなく幌が畳まれ、男子の小用で尿が飛散することを防止することができる。しかも、このように簡単な構造をしているので既設の洋式便器に簡単に取り付け可能で、少ない費用で尿の飛散防止対策を施すことができる。
【図面の簡単な説明】
【図１】第一実施形態の便座を起こした状態の側面図
【図２】同正面図
【図３】（ａ）同幌の開・畳機構断面図、（ｂ）蹴り棒部分の断面図
【図４】同便座を倒した状態の側面図
【図５】同分解斜視図
【図６】同幌の開・畳機構の運動説明図
【図７】同使用状態図
【図８】第二実施形態の斜視図
【図９】同一部破断斜視図
【符号の説明】
１，１a  便器（本体）
２  蓋
３，３a  便座
４，４a  幌
５  開・畳機構
６，６a  紐体
７  レバー
８，８a  揺動緊張線
９  ガード
１０  紐掛け
１１  軸受け
１２，１２a  軸
１２  突き出た軸
１３  開・畳側縁
１４  強いトーションスプリング
１５  長孔
１６  カラー
１７  蹴り棒
１８  弱いトーションスプリング
１９  鍔
２０  台座
２１，２１a  緊張線
２１’  緊張線の湾曲部
２２，２２a  補助緊張線
２３  緊張線支持孔
２４  押し込み面
２５，２５a  カラー
２６  ドッグレバー
２７  吸盤
２８  トーションスプリング
【図１】
0004160189.tif 000002
【図２】
0004160189.tif 000003
【図３】
0004160189.tif 000004
【図４】
0004160189.tif 000005
【図５】
0004160189.tif 000006
【図６】
0004160189.tif 000007
【図７】
0004160189.tif 000008
【図８】
0004160189.tif 000009
【図９】
0004160189.tif 000010